(57)【要約】【課題】対象画像に対して行う補正処理に応じた適切な補正処理をテンプレート画像に対して行うことができる画像処理装置を提供する。【解決手段】配置領域４１と背景領域４２とを含むテンプレート画像４０を記憶する記憶部と、テンプレート画像４０の配置領域４１に写真画像３０を配置する制御部とを備え、制御部は、配置領域４１に配置される写真画像３０を補正する第１補正処理と、第１補正処理において用いられた第１補正情報に基づいて第２補正情報を設定し、テンプレート画像４０の背景領域４２を第２補正情報に基づき補正する第２補正処理とを実行する。【選択図】図８
2019054476.tif 000002
【特許請求の範囲】
【請求項１】
配置領域と背景領域とを含むテンプレート画像を記憶する記憶部と、
前記テンプレート画像の前記配置領域に対象画像を配置する制御部と、を備え、
前記制御部は、前記配置領域に配置される前記対象画像を補正する第１補正処理と、前記第１補正処理において用いられた第１補正情報に基づいて第２補正情報を設定し、前記テンプレート画像の前記背景領域を前記第２補正情報に基づき補正する第２補正処理と、を実行することを特徴とする画像処理装置。
【請求項２】
前記テンプレート画像の前記配置領域に配置される前記対象画像の補正項目について前記第１補正情報を設定するための操作が行われた場合に、
前記制御部は、
設定された前記第１補正情報に基づいて、前記対象画像の前記補正項目に関する前記第１補正処理を行い、
設定された前記第２補正情報に基づいて、前記背景領域の前記補正項目に関する第２補正処理を行うことを特徴とする請求項１に記載の画像処理装置。
【請求項３】
前記補正項目には、明るさが含まれ、
前記第１補正情報には、前記補正項目の第１補正値が含まれ、
前記第２補正情報には、前記補正項目の第２補正値が含まれ、
前記制御部は、前記補正項目の前記第１補正値が、前記対象画像の前記補正項目を大きくする値に設定されると、前記補正項目の前記第２補正値を、前記背景領域の前記補正項目を小さくする値に設定し、前記補正項目の前記第１補正値が、前記対象画像の前記補正項目を小さくする値に設定されると、前記補正項目の前記第２補正値を、前記背景領域の前記補正項目を大きくする値に設定することを特徴とする請求項２に記載の画像処理装置。
【請求項４】
前記補正項目には、コントラスト、鮮やかさおよびシャープネスの少なくとも１つが含まれ、
前記第１補正情報には、前記補正項目の第１補正値が含まれ、
前記第２補正情報には、前記補正項目の第２補正値が含まれ、
前記制御部は、前記補正項目の前記第１補正値が、基前記対象画像の前記補正項目を大きくする値に設定されると、前記補正項目の前記第２補正値を、前記背景領域の前記補正項目を大きくする値に設定し、前記補正項目の前記第１補正値が、前記対象画像の前記補正項目を小さくする値に設定されると、前記補正項目の前記第２補正値を、前記背景領域の前記補正項目を小さくする値に設定することを特徴とする請求項２に記載の画像処理装置。
【請求項５】
前記テンプレート画像に、複数の前記配置領域が設けられ、複数の前記配置領域にそれぞれ前記対象画像が配置され、前記第１補正情報が前記対象画像ごとに設定される場合に、
前記制御部は、前記第２補正情報を、前記対象画像ごとに設定された複数の前記第１補正情報に基づいて設定することを特徴とする請求項２ないし４のいずれか一項に記載の画像処理装置。
【請求項６】
複数の前記対象画像のうちの一の前記対象画像について設定された前記第１補正情報と、他の前記対象画像について設定された前記第１補正情報と、が異なる場合に、
前記制御部は、前記第２補正情報を、前記背景領域の前記補正項目が、一の前記対象画像と他の前記対象画像とが並ぶ方向に段階的に変化するように設定することを特徴とする請求項５に記載の画像処理装置。
【請求項７】
前記テンプレート画像に、複数の前記配置領域が設けられ、複数の前記配置領域にそれぞれ前記対象画像が配置され、前記第１補正情報が前記対象画像ごとに設定される場合に、
前記制御部は、前記第２補正情報を、複数の前記配置領域のうち最大サイズの前記配置領域に配置された前記対象画像について設定された前記第１補正情報に基づいて設定することを特徴とする請求項２ないし４のいずれか一項に記載の画像処理装置。
【請求項８】
前記制御部は、前記対象画像に付加画像が付加される場合に、前記第２補正処理において、設定された前記第２補正情報に基づいて、前記背景領域と、前記付加画像と、を補正することを特徴とする請求項２ないし７のいずれか一項に記載の画像処理装置。
【請求項９】
前記制御部は、前記第２補正処理において、前記背景領域のうち、前記配置領域を囲む第１領域を補正し、前記第１領域以外の第２領域を補正しないことを特徴とする請求項２ないし８のいずれか一項に記載の画像処理装置。
【請求項１０】
前記制御部は、前記テンプレート画像と、前記配置領域に配置された前記対象画像と、が含まれる合成画像を、印刷装置に送信することを特徴とする請求項２ないし９のいずれか一項に記載の画像処理装置。
【請求項１１】
画像処理装置が、
配置領域と背景領域とを含むテンプレート画像の前記配置領域に対象画像を配置し、
前記配置領域に配置される前記対象画像を補正する第１補正処理を実行し、
前記第１補正処理において用いられた第１補正情報に基づいて第２補正情報を設定し、前記テンプレート画像の前記背景領域を前記第２補正情報に基づき補正する第２補正処理を実行する
ことを特徴とする画像処理方法。
【請求項１２】
コンピューターに、
配置領域と背景領域とを含むテンプレート画像の前記配置領域に対象画像を配置する処理と、
前記配置領域に配置される前記対象画像を補正する第１補正処理と、
前記第１補正処理において用いられた第１補正情報に基づいて第２補正情報を設定し、前記テンプレート画像の前記背景領域を前記第２補正情報に基づき補正する第２補正処理と、
を実行させることを特徴とするプログラム。
【発明の詳細な説明】
【技術分野】
【０００１】
本発明は、テンプレート画像の配置領域に配置される対象画像に対して画像処理を行う画像処理装置、画像処理方法およびプログラムに関するものである。
【背景技術】
【０００２】
従来、特許文献１に開示されているように、テンプレート画像の背景領域と、テンプレート画像に配置される対象画像（ユーザー画像）とに対して、別々に色補正を行う画像処理装置（画像合成装置）が知られている。なお、本段落において、括弧内の文言は、特許文献１における名称を示す。
【先行技術文献】
【特許文献】
【０００３】
【特許文献１】特開平１１−２６１８０５号公報
【発明の概要】
【発明が解決しようとする課題】
【０００４】
従来の画像処理装置は、テンプレート画像の背景領域と、テンプレート画像に配置される対象画像とに対して別々に色補正を行っており、対象画像に対して行う補正処理に応じた適切な補正処理をテンプレート画像に行うことができない。
【０００５】
本発明は、対象画像に対して行う補正処理に応じた適切な補正処理をテンプレート画像に対して行うことができる画像処理装置、画像処理方法およびプログラムを提供することを課題としている。
【課題を解決するための手段】
【０００６】
本発明の画像処理装置は、配置領域と背景領域とを含むテンプレート画像を記憶する記憶部と、テンプレート画像の配置領域に対象画像を配置する制御部と、を備え、制御部は、配置領域に配置される対象画像を補正する第１補正処理と、第１補正処理において用いられた第１補正情報に基づいて第２補正情報を設定し、テンプレート画像の背景領域を第２補正情報に基づき補正する第２補正処理と、を実行することを特徴とする。
【０００７】
この構成によれば、第１補正情報に基づいて対象画像が補正され、第１補正処理に基づいて設定された第２補正情報に基づいて背景領域が補正される。したがって、対象画像に対して行う補正処理に応じた適切な補正処理をテンプレート画像に対して行うことができる。
【０００８】
この場合、テンプレート画像の配置領域に配置される対象画像の補正項目について第１補正情報を設定するための操作が行われた場合に、制御部は、設定された第１補正情報に基づいて、対象画像の補正項目に関する第１補正処理を行い、設定された第２補正情報に基づいて、背景領域の補正項目に関する第２補正処理を行うことが好ましい。
【０００９】
この構成によれば、第１補正情報を設定するための操作が行われた場合に、設定された第１補正情報に基づいて、対象画像の補正項目に関する第１補正処理が行われ、設定された第２補正情報に基づいて、背景領域の補正項目に関する第２補正処理が行われる。したがって、第１補正情報を設定するための操作が行われた場合に、設定された第１補正情報に基づいて、対象画像と背景領域とを補正することができる。ゆえに、ユーザーが背景領域を補正するために補正情報を設定するための操作を行う手間を軽減することができる。
【００１０】
この場合、補正項目には、明るさが含まれ、第１補正情報には、補正項目の第１補正値が含まれ、第２補正情報には、補正項目の第２補正値が含まれ、制御部は、補正項目の第１補正値が、対象画像の補正項目を大きくする値に設定されると、補正項目の第２補正値を、背景領域の補正項目を小さくする値に設定し、補正項目の第１補正値が、対象画像の補正項目を小さくする値に設定されると、補正項目の第２補正値を、背景領域の補正項目を大きくする値に設定することが好ましい。
【００１１】
この構成によれば、補正項目の第１補正値が対象画像の補正項目を大きくする値に設定されると、対象画像の補正項目が大きくなるのに対し、背景領域の補正項目は小さくなる。したがって、補正項目の第１補正値を、対象画像の補正項目を大きくする値に設定することで、背景領域の補正項目が小さくなるように補正することができる。また、補正項目の第１補正値が対象画像の補正項目を小さくする値に設定されると、対象画像の補正項目が小さくなるのに対し、背景領域の補正項目は大きくなる。したがって、補正項目の第１補正値を、対象画像の補正項目を小さくする値に設定することで、背景領域の補正項目が大きくなるように補正することができる。
【００１２】
この場合、補正項目には、コントラスト、鮮やかさおよびシャープネスの少なくとも１つが含まれ、第１補正情報には、補正項目の第１補正値が含まれ、第２補正情報には、補正項目の第２補正値が含まれ、制御部は、補正項目の第１補正値が、基対象画像の補正項目を大きくする値に設定されると、補正項目の第２補正値を、背景領域の補正項目を大きくする値に設定し、補正項目の第１補正値が、対象画像の補正項目を小さくする値に設定されると、補正項目の第２補正値を、背景領域の補正項目を小さくする値に設定することが好ましい。
【００１３】
この構成によれば、補正項目の第１補正値が対象画像の補正項目を大きくする値に設定されると、対象画像の補正項目が大きくなり、背景領域の補正項目も大きくなる。したがって、補正項目の第１補正値を、対象画像の補正項目を大きくする値に設定することで、背景領域の補正項目が大きくなるように補正することができる。また、補正項目の第１補正値が対象画像の補正項目を小さくする値に設定されると、対象画像の補正項目が小さくなり、背景領域の補正項目も小さくなる。したがって、補正項目の第１補正値を、対象画像の補正項目を小さくする値に設定することで、背景領域の補正項目が小さくなるように補正することができる。
【００１４】
この場合、テンプレート画像に、複数の配置領域が設けられ、複数の配置領域にそれぞれ対象画像が配置され、第１補正情報が対象画像ごとに設定される場合に、制御部は、第２補正情報を、対象画像ごとに設定された複数の第１補正情報に基づいて設定することが好ましい。
【００１５】
この構成によれば、テンプレート画像に複数の対象画像が配置され、第１補正情報が対象画像ごとに設定される場合に、第２補正情報が、対象画像ごとに設定された複数の第１補正情報に基づいて設定される。これにより、テンプレート画像に複数の対象画像が配置される場合にも、背景領域を適切に補正することができる。
【００１６】
この場合、複数の対象画像のうちの一の対象画像について設定された第１補正情報と、他の対象画像について設定された第１補正情報と、が異なる場合に、制御部は、第２補正情報を、背景領域の補正項目が、一の対象画像と他の対象画像とが並ぶ方向に段階的に変化するように設定することが好ましい。
【００１７】
この構成によれば、背景領域の補正項目が、一の対象画像と他の対象画像とが並ぶ方向に段階的に変化するように、背景領域が補正される。これにより、補正項目に関して、背景領域がグラデーション表示される。
【００１８】
この場合、テンプレート画像に、複数の配置領域が設けられ、複数の配置領域にそれぞれ対象画像が配置され、第１補正情報が対象画像ごとに設定される場合に、制御部は、第２補正情報を、複数の配置領域のうち最大サイズの配置領域に配置された対象画像について設定された第１補正情報に基づいて設定することが好ましい。
【００１９】
この構成によれば、テンプレート画像に複数の対象画像が配置され、第１補正情報が対象画像ごとに設定される場合に、第２補正情報が、最大サイズの配置領域に配置された対象画像について設定された第１補正情報に基づいて設定される。これにより、テンプレート画像に複数の対象画像が配置される場合にも、背景領域を適切に補正することができる。
【００２０】
この場合、制御部は、対象画像に付加画像が付加される場合に、第２補正処理において、設定された第２補正情報に基づいて、背景領域と、付加画像と、を補正することが好ましい。
【００２１】
この構成によれば、第１補正情報を設定するための操作が行われた場合に、設定された第１補正情報に基づいて設定された第２補正情報に基づいて、背景領域と付加画像とが補正される。ゆえに、ユーザーが付加画像を補正するために補正情報を設定するための操作を行う手間を軽減することができる。
【００２２】
この場合、制御部は、第２補正処理において、背景領域のうち、配置領域を囲む第１領域を補正し、第１領域以外の第２領域を補正しないことが好ましい。
【００２３】
この構成によれば、第１補正情報を設定するための操作が行われた場合に、配置領域を囲む第１領域以外の第２領域を補正することなく、第１領域を補正することができる。
【００２４】
この場合、制御部は、テンプレート画像と、配置領域に配置された対象画像と、が含まれる合成画像を、印刷装置に送信することが好ましい。
【００２５】
この構成によれば、対象画像だけでなく、背景領域が補正された合成画像を印刷することができる。
【００２６】
本発明の画像処理方法は、画像処理装置が、配置領域と背景領域とを含むテンプレート画像の配置領域に対象画像を配置し、配置領域に配置される対象画像を補正する第１補正処理を実行し、第１補正処理において用いられた第１補正情報に基づいて第２補正情報を設定し、テンプレート画像の背景領域を第２補正情報に基づき補正する第２補正処理を実行することを特徴とする。
【００２７】
本発明のプログラムは、コンピューターに、配置領域と背景領域とを含むテンプレート画像の配置領域に対象画像を配置する処理と、配置領域に配置される対象画像を補正する第１補正処理と、第１補正処理において用いられた第１補正情報に基づいて第２補正情報を設定し、テンプレート画像の背景領域を第２補正情報に基づき補正する第２補正処理と、を実行させることを特徴とする。
【図面の簡単な説明】
【００２８】
【図１】本発明の一実施形態に係る印刷システムの概略構成を示す図である。
【図２】写真選択画面を示す図である。
【図３】テンプレート選択画面を示す図である。
【図４】編集画面を示す図である。
【図５】補正画面を示す図である。
【図６】スタンプ画像の一例を示す図である。
【図７】スタンプ画像の他の例を示す図である。
【図８】図４に続いて、明るさ設定部に対して操作が行われた場合に、背景領域の明るさがどのように補正されるかを示す図である。
【図９】図４に続いて、明るさ設定部に対して別の操作が行われた場合に、背景領域の明るさがどのように補正されるかを示す図である。
【図１０】図４に続いて、コントラスト設定部に対して操作が行われた場合に、背景領域のコントラストがどのように補正されるかを示す図である。
【図１１】図４に続いて、コントラスト設定部に対して別の操作が行われた場合に、背景領域のコントラストがどのように補正されるかを示す図である。
【図１２】図４に続いて、鮮やかさ設定部に対して操作が行われた場合に、背景領域の鮮やかさがどのように補正されるかを示す図である。
【図１３】図４に続いて、鮮やかさ設定部に対して別の操作が行われた場合に、背景領域の鮮やかさがどのように補正されるかを示す図である。
【図１４】図４に続いて、シャープネス設定部に対して操作が行われた場合に、背景領域のシャープネスがどのように補正されるかを示す図である。
【図１５】図４に続いて、シャープネス設定部に対して別の操作が行われた場合に、背景領域のシャープネスがどのように補正されるかを示す図である。
【図１６】編集画面において、テンプレート画像の２つの配置領域にそれぞれ写真画像が配置された状態を示す図である。
【図１７】図１６に続いて、明るさ設定部に対して操作が行われた場合に、背景領域の明るさがどのように補正されるかを示す図である。
【図１８】編集画面において、テンプレート画像の大小２つの配置領域にそれぞれ写真画像が配置された状態を示す図である。
【図１９】図１８に続いて、明るさ設定部に対して操作が行われた場合に、背景領域の明るさがどのように補正されるかを示す図である。
【図２０】図６に続いて、明るさ設定部に対して操作が行われた場合に、スタンプ画像の明るさがどのように補正されるかを示す図である。
【図２１】背景領域に、配置領域の周辺に位置する第１領域と、第１領域以外の第２領域とが含まれる場合に、第１領域および第２領域のうち、第１領域の補正項目のみ補正されることを示す図である。
【発明を実施するための形態】
【００２９】
以下、本発明の画像処理装置、画像処理方法およびプログラムの実施形態について説明する。本実施形態では、画像処理装置の一例であるパソコンと、印刷装置とを備えた印刷システムを例に挙げて説明する。
【００３０】
図１に基づいて、印刷システムＳＹの概略構成について説明する。印刷システムＳＹは、パソコンＰＣと、印刷装置ＰＲとを備えている。パソコンＰＣと印刷装置ＰＲとは、有線或いは無線で通信可能に接続されている。
【００３１】
パソコンＰＣは、制御部１と、記憶部２と、通信インターフェース３と、キーボード４と、マウス５と、ディスプレー６とを備えている。
【００３２】
制御部１は、パソコンＰＣの各部を制御する。制御部１は、ＣＰＵ１１（Central Processing Unit）と、ＲＯＭ１２（Read Only Memory）と、ＲＡＭ１３（Random Access Memory）とを備えている。ＣＰＵ１１は、パソコンＰＣ内の各部と信号の入出力を行い、各種演算処理を行う。ＲＯＭ１２は、ＢＩＯＳ（Basic Input Output System）等のプログラムを記憶している。ＲＡＭ１３は、ＣＰＵ１１のワークエリアとして用いられる。
【００３３】
記憶部２は、ＯＳ（Operating System）の他、写真印刷アプリケーションおよびプリンタードライバー等のプログラムを記憶している。また、記憶部２は、写真印刷に供される写真画像３０（図２等参照）を記憶する。ここで、写真画像３０とは、カメラ機能付きの機器（例えば、デジタルカメラ或いはスマートフォン）により撮影された画像を意味する。なお、写真画像３０は、複数のフォルダー２０（図２参照）に分かれて記憶される。記憶部２としては、例えば、ＨＤＤ（Hard Disk Drive）を用いることができる。
【００３４】
通信インターフェース３は、印刷装置ＰＲと通信する。キーボード４およびマウス５は、選択操作など、各種操作を行うための操作手段として用いられる。ディスプレー６は、後述する写真選択画面Ｄａなど、各種画面をカラー表示する表示手段として用いられる。
【００３５】
制御部１は、キーボード４或いはマウス５が受け付けた操作に基づいて、写真印刷アプリケーションを実行することにより、記憶部２に記憶された写真画像３０、或いはパソコンＰＣに読み取られた記憶媒体（例えば、ＣＤ−ＲＯＭ、フラッシュメモリー）に記憶された写真画像３０を、プリンタードライバーを介して印刷装置ＰＲに送信する。このとき、制御部１は、詳細は後述するように、キーボード４或いはマウス５が受け付けた操作に基づいて、写真画像３０に対して画像処理を行い、画像処理が行われた写真画像３０を印刷装置ＰＲに送信することができる。
【００３６】
印刷装置ＰＲは、パソコンＰＣから受信した写真画像３０に基づいて、印刷用紙等の印刷媒体にカラー印刷を行う。なお、印刷装置ＰＲの印刷方式は、特に限定されるものではなく、例えば、インクジェット方式或いは電子写真方式のものを用いることができる。
【００３７】
図２に基づいて、写真選択画面Ｄａについて説明する。制御部１は、ユーザーにより写真印刷アプリケーションが起動された後、所定の操作が行われると、写真選択画面Ｄａをディスプレー６に表示させる。写真選択画面Ｄａは、記憶部２等に記憶された写真画像３０のなかから、印刷対象となる１または複数の写真画像３０を選択するための画面である。
【００３８】
写真選択画面Ｄａは、フォルダー表示エリアＤａ１と、候補写真表示エリアＤａ２と、選択写真表示エリアＤａ３とに区画されている。
【００３９】
フォルダー表示エリアＤａ１には、写真画像３０が含まれる複数のフォルダー２０が表示される。フォルダー表示エリアＤａ１に表示された複数のフォルダー２０のうち、ユーザーの操作に基づいて選択されたフォルダー２０は、他のフォルダー２０とは識別可能に表示される。例えば、選択されたフォルダー２０には、フォルダー選択枠２０ａが付される。
【００４０】
候補写真表示エリアＤａ２には、選択されたフォルダー２０に含まれる複数の写真画像３０が表示される。候補写真表示エリアＤａ２に表示された複数の写真画像３０のうち、ユーザーの操作に基づいて選択された写真画像３０は、他の写真画像３０とは識別可能に表示される。例えば、選択された写真画像３０には、チェックマーク３０ａが付される。
【００４１】
選択写真表示エリアＤａ３には、候補写真表示エリアＤａ２に表示された複数の写真画像３０のなかから選択された写真画像３０が表示される。
【００４２】
また、写真選択画面Ｄａには、テンプレート選択ボタンａ１が表示される。制御部１は、写真画像３０が選択された後、テンプレート選択ボタンａ１が操作されると、選択された写真画像３０を印刷対象として決定すると共に、テンプレート選択画面Ｄｂ（図３参照）をディスプレー６に表示させる。
【００４３】
図３に基づいて、テンプレート選択画面Ｄｂについて説明する。テンプレート選択画面Ｄｂは、写真印刷アプリケーションに用意されたテンプレート画像４０のなかから、印刷対象となるテンプレート画像４０を選択するための画面である。テンプレート画像４０には、後述する編集画面Ｄｃ（図４参照）において、写真選択画面Ｄａにおいて選択された１または複数の写真画像３０が配置される。ここで、テンプレート画像４０のうち、写真画像３０が配置される領域を、配置領域４１という。配置領域４１は、配置可能な写真画像３０の個数に応じて、１または複数設けられている。なお、テンプレート画像４０に複数の配置領域４１が設けられる場合、複数の配置領域４１は、分離して設けられもよく、互いに接して設けられてもよい。また、テンプレート画像４０のうち、配置領域４１に配置された写真画像３０の背景となる領域を、背景領域４２という。換言すれば、背景領域４２は、テンプレート画像４０のうち配置領域４１を除いた領域である。
【００４４】
テンプレート選択画面Ｄｂには、複数のテンプレート画像４０が表示される。テンプレート選択画面Ｄｂに表示された複数のテンプレート画像４０のうち、ユーザーの操作に基づいて選択されたテンプレート画像４０は、他のテンプレート画像４０とは識別可能に表示される。例えば、選択されたテンプレート画像４０には、テンプレート選択枠４０ａが付される。
【００４５】
また、テンプレート選択画面Ｄｂには、編集ボタンｂ１が表示される。制御部１は、編集ボタンｂ１が操作されると、印刷対象となるテンプレート画像４０を、選択されているテンプレート画像４０に決定すると共に、編集画面Ｄｃをディスプレー６に表示させる。
【００４６】
図４に基づいて、編集画面Ｄｃについて説明する。編集画面Ｄｃは、印刷対象となる写真画像３０およびテンプレート画像４０に対して、編集を行うための画面である。編集画面Ｄｃには、合成画像５０が表示される。合成画像５０には、テンプレート選択画面Ｄｂにおいて選択されたテンプレート画像４０と、写真選択画面Ｄａにおいて選択され、テンプレート画像４０の配置領域４１に配置された写真画像３０とが含まれる。すなわち、制御部１は、テンプレート選択画面Ｄｂにおいて選択されたテンプレート画像４０の配置領域４１に、写真選択画面Ｄａにおいて選択された写真画像３０を配置する。なお、合成画像５０には、後述するスタンプ画像６０（図６および図７参照）が含まれてもよい。
【００４７】
また、編集画面Ｄｃには、背景ボタンｃ１と、補正ボタンｃ２と、印刷ボタンｃ３とが表示される。制御部１は、背景ボタンｃ１が操作されると、背景領域４２の色および模様等を選択するための背景選択画面（図示省略）をディスプレー６に表示させる。制御部１は、補正ボタンｃ２が操作されると、補正画面Ｄｄ（図５参照）をディスプレー６に表示させる。制御部１は、印刷ボタンｃ３が操作されると、印刷設定や印刷開始を指示するための印刷設定画面（図示省略）をディスプレー６に表示させる。そして、制御部１は、印刷設定画面において印刷開始の指示が行われると、合成画像５０を印刷装置ＰＲに送信する。
【００４８】
図５に基づいて、補正画面Ｄｄについて説明する。補正画面Ｄｄは、印刷対象となる写真画像３０について、画像処理により補正（より具体的には、色調補正）を行うための画面である。写真画像３０の補正項目には、明るさ、コントラスト、鮮やかさ（彩度）およびシャープネスが含まれる。なお、補正項目の個数は、特に限定されず、１または複数のいずれでもよい。また、補正項目の種類は、ここに挙げたものに限定されず、例えば、色相、レベル補正或いはトーンカーブが含まれてもよい。
【００４９】
制御部１は、補正画面Ｄｄに対する操作に基づいて、写真画像３０の各補正項目の設定値を設定し、設定された各補正項目の設定値に基づいて、写真画像３０を補正する。制御部１は、補正項目の設定値を設定前よりも大きな値に設定した場合には、補正項目が大きくなるように（例えば、明るさが大きくなるように）写真画像３０を補正する。また、制御部１は、補正項目の設定値を設定前よりも小さな値に設定した場合には、補正項目が小さくなるように写真画像３０を補正する。
【００５０】
制御部１は、写真画像３０の各補正項目の設定値を、例えば、次の式（１）により算出する。
設定値＝調整値＋第１補正値    （１）
さらに、制御部１は、各補正項目の調整値を、例えば、以下の式（２）により算出する。
調整値＝（モード値−３）×補正量    （２）
式（１）の第１補正値、式（２）のモード値および補正量については、後述する。
【００５１】
補正画面Ｄｄは、補正画像表示エリアＤｄ１と、補正設定エリアＤｄ２とに区画されている。補正画像表示エリアＤｄ１には、補正の対象となる写真画像３０が表示される。補正設定エリアＤｄ２には、補正モード選択部ｄ１と、補正量設定部ｄ２と、明るさ設定部ｄｄ１と、コントラスト設定部ｄｄ２と、鮮やかさ設定部ｄｄ３と、シャープネス設定部ｄｄ４とが含まれる。なお、以下では、明るさ設定部ｄｄ１と、コントラスト設定部ｄｄ２と、鮮やかさ設定部ｄｄ３と、シャープネス設定部ｄｄ４とを区別する必要がない場合には、これらをまとめて「補正値設定部ｄｄ」という。
【００５２】
補正モード選択部ｄ１は、複数の補正モードから１の補正モードを選択するためのものである。なお、補正モード選択部ｄ１は、ユーザーインターフェースとして、プルダウンメニューにより構成されているが、これに限定されるものではなく、例えば、ラジオボタンにより構成されていてもよい。制御部１は、補正モード選択部ｄ１に対する操作に基づいて、補正モードを選択する。補正モードには、例えば、「標準」、「人物」および「夜景」が用意されている。補正モードは、デフォルトでは、例えば「標準」に選択されており、補正モード選択部ｄ１に対する操作により、「標準」、「人物」および「夜景」のなかから選択される。ユーザーは、任意に補正モードを選択可能であるが、通常、写真画像３０に写っている被写体に応じて、補正モードを選択する。例えば、ユーザーは、人物が写っている写真画像３０については、補正モードとして「人物」を選択し、夜景が写っている写真画像３０については、補正モードとして「夜景」を選択し、人物または夜景以外のものが写っている写真画像３０については、補正モードとして「標準」を選択する。なお、本実施形態では、補正モードは、補正モード選択部ｄ１に対する操作に基づいて選択されるが、写真画像３０の画像解析結果等に基づいて自動的に選択されてもよい。さらには、自動選択された補正モードを、ユーザーの操作に基づいて変更可能な構成でもよい。
【００５３】
制御部１は、補正モード選択部ｄ１に対する操作により補正モードが選択されると、選択された補正モードに応じて、スタンプ情報を設定する。ここで、スタンプ情報とは、写真画像３０に付加されるスタンプ画像６０の有無および種類を示す情報である。例えば、制御部１は、補正モードが「人物」に選択されると、スタンプ情報を「ハート」に設定する。この場合、制御部１は、補正画面Ｄｄから編集画面Ｄｃに戻った際に、ハートマークのスタンプ画像６０を写真画像３０に付加する（図６参照）。また、制御部１は、補正モードが「夜景」に選択されると、スタンプ情報を「星」に設定する。この場合、制御部１は、補正画面Ｄｄから編集画面Ｄｃに戻った際に、星マークのスタンプ画像６０を写真画像３０に付加する（図７参照）。一方、制御部１は、補正モードが「標準」に選択されると、スタンプ情報を「なし」に設定する。この場合、制御部１は、補正画面Ｄｄから編集画面Ｄｃに戻った際に、スタンプ画像６０を写真画像３０に付加しない（図８参照）。なお、スタンプ画像６０の種類は、「ハート」或いは「星」に限定されるものではない。また、補正モードが「標準」に選択された場合にも、スタンプ画像６０が写真画像３０に付加される構成でもよい。さらに、スタンプ画像６０を写真画像３０に付加するか否かを、ユーザーに選択させる構成でもよい。補正モードごとに用意された複数のスタンプ画像６０のなかから、写真画像３０に付加されるスタンプ画像６０をユーザーに選択させる構成でもよい。
【００５４】
また、制御部１は、補正モード選択部ｄ１に対する操作により補正モードが選択されると、選択された補正モードに応じて、複数の補正項目のモード値を設定する。例えば、制御部１は、補正モードが「標準」に選択されると、明るさのモード値を「３」、コントラストのモード値を「３」、鮮やかさのモード値を「３」、シャープネスのモード値を「３」に設定する。これらの値は、標準的な写真画像３０に適した値である。制御部１は、補正モードが「人物」に選択されると、明るさのモード値を「４」、コントラストのモード値を「２」、鮮やかさのモード値を「２」、シャープネスのモード値を「２」に設定する。これらの値は、人物が写っている写真画像３０に適した値である。制御部１は、補正モードが「夜景」に選択されると、明るさのモード値を「１」、コントラストのモード値を「３」、鮮やかさのモード値を「３」、シャープネスのモード値を「３」に設定する。これらの値は、夜景が写っている写真画像３０に適した値である。なお、ここに示したモード値の値は、例示にすぎず、本発明を何ら限定するものではない。後述する補正量、第１補正値等の値についても、同様である。
【００５５】
補正量設定部ｄ２は、補正量を設定するためのものである。なお、補正量設定部ｄ２は、ユーザーインターフェースとして、スライダーにより構成されているが、これに限定されるものではなく、例えば、補正量の数値をキーボード４から入力可能な入力欄により構成されていてもよい。制御部１は、補正量設定部ｄ２に対する操作に基づいて、補正量を設定する。補正量は、例えば、デフォルトでは「１」に設定されており、補正量設定部ｄ２に対する操作により、「０．５」以上「２」以下の範囲で設定される。
【００５６】
制御部１は、例えば、補正モードが「標準」に選択され、補正量が「１」に設定された場合には、式（２）に基づいて、明るさの調整値を「０」、コントラストの調整値を「０」、鮮やかさの調整値を「０」、シャープネスの調整値を「０」と算出する。また、別の例を挙げると、制御部１は、補正モードが「人物」に選択され、補正量が「０．５」に設定された場合には、式（２）に基づいて、明るさの調整値を「＋０．５」、コントラストの調整値を「−０．５」、鮮やかさの調整値を「−０．５」、シャープネスの調整値を「−０．５」と算出する。
【００５７】
補正値設定部ｄｄは、写真画像３０の補正項目について第１補正値を設定するためのものである。すなわち、制御部１は、明るさ設定部ｄｄ１に対する操作に基づいて、明るさの第１補正値を設定し、コントラスト設定部ｄｄ２に対する操作に基づいて、コントラストの第１補正値を設定し、鮮やかさ設定部ｄｄ３に対する操作に基づいて、鮮やかさの第１補正値を設定し、シャープネス設定部ｄｄ４に対する操作に基づいて、シャープネスの第１補正値を設定する。なお、各補正値設定部ｄｄは、補正量設定部ｄ２と同様に、ユーザーインターフェースとして、スライダーにより構成されているが、これに限定されるものではなく、例えば、第１補正値の数値をキーボード４から入力可能な入力欄により構成されていてもよい。
【００５８】
各補正項目の第１補正値は、例えば、デフォルトでは基準値「０」に設定されている。各補正値設定部ｄｄに対する操作により、各補正項目の第１補正値が大きくなると（本実施形態では、スライダーが「＋」の方向に移動すると）、写真画像３０の補正項目が大きくなり、第１補正値が小さくなると（本実施形態では、スライダーが「−」の方向に移動すると）、写真画像３０の補正項目が小さくなる。すなわち、第１補正値が写真画像３０の補正項目を大きくする値に設定されるとは、第１補正値が各補正値設定部ｄｄに対する操作前よりも大きな値に設定されることを意味する。また、第１補正値が写真画像３０の補正項目を小さくする値に設定されるとは、第１補正値が各補正値設定部ｄｄに対する操作前よりも小さな値に設定されることを意味する。なお、本実施形態とは逆に、各補正項目の第１補正値が大きくなると写真画像３０の補正項目が小さくなり、各補正項目の第１補正値が小さくなると写真画像３０の補正項目が大きくなる構成でもよい。
【００５９】
また、補正画面Ｄｄには、ＯＫボタンｄ３が表示される。制御部１は、ＯＫボタンｄ３が操作されると、補正モード、補正量および各補正項目の第１補正値を決定し、式（１）および式（２）により各補正項目の設定値を算出すると共に、編集画面Ｄｃをディスプレー６に表示させる。
【００６０】
補正画面Ｄｄにおいて、少なくとも補正値設定部ｄｄに対する操作が行われた場合について、さらに詳細に説明する。制御部１は、補正値設定部ｄｄに対する操作により設定された各補正項目の第１補正値に基づいて（より具体的には、各補正項目の第１補正値および調整値から算出された設定値に基づいて）、写真画像３０を補正する。なお、以下では、第１補正値に基づいて、各補正項目に関して写真画像３０を補正する処理を、「第１補正処理」という。写真画像３０の補正項目に関する第１補正処理が行われることにより、補正画面Ｄｄおよび編集画面Ｄｃには、その補正項目に関して補正された写真画像３０が表示される。さらに、制御部１は、各補正項目の第１補正値に基づいて第２補正値を設定し、設定された第２補正値に基づいて、背景領域４２を補正する。なお、以下では、第２補正値に基づいて、各補正項目に関して背景領域４２を補正する処理を、「第２補正処理」という。背景領域４２の補正項目に関する第２補正処理が行われることにより、編集画面Ｄｃには、その補正項目に関して補正された背景領域４２が表示される。
【００６１】
各補正項目の第２補正値は、デフォルトでは「０」に設定されている。第１補正値に基づいて第２補正値が設定された結果、第２補正値が大きくなると、各補正項目が大きくなるように背景領域４２が補正され、第２補正値が小さくなると、各補正項目が小さくなるように背景領域４２が補正される。本実施形態とは逆に、第２補正値が大きくなると、各補正項目が小さくなるように背景領域４２が補正され、第２補正値が小さくなると、各補正項目が大きくなるように背景領域４２が補正される構成でもよい。
【００６２】
そして、編集画面Ｄｃに戻った後、印刷ボタンｃ３が操作されると、制御部１は、写真画像３０および背景領域４２が補正された合成画像５０を、印刷装置ＰＲに送信する。この結果、印刷装置ＰＲは、写真画像３０および背景領域４２が補正された合成画像５０を印刷する。
【００６３】
ここで、制御部１は、第２補正処理において、明るさ設定部ｄｄ１に対する操作が行われた場合と、コントラスト設定部ｄｄ２、鮮やかさ設定部ｄｄ３或いはシャープネス設定部ｄｄ４に対する操作が行われた場合とでは、異なる制御を行う。
【００６４】
すなわち、制御部１は、明るさの第１補正値が写真画像３０の明るさを大きくする値に設定されると（すなわち、明るさ設定部ｄｄ１のスライダーが「＋」の方向に移動すると）、明るさの第２補正値を、背景領域４２の明るさを小さくする値に設定する。また、制御部１は、明るさの第１補正値が写真画像３０の明るさを小さくする値に設定されると（すなわち、明るさ設定部ｄｄ１のスライダーが「−」の方向に移動すると）、明るさの第２補正値を、背景領域４２の明るさを大きくする値に設定する。例えば、制御部１は、明るさの第２補正値を、明るさの第１補正値とは絶対値が等しく正負が逆の値に設定する。より具体的には、制御部１は、明るさの第１補正値が「＋２」に設定された場合には、明るさの第２補正値を、明るさの第１補正値とは絶対値が等しく正負が逆の値「−２」に設定する。そして、制御部１は、設定された明るさの第２補正値「−２」に基づいて、明るさに関して背景領域４２を補正する。これにより、背景領域４２の明るさが小さくなる。
【００６５】
一方、制御部１は、例えば、コントラストの第１補正値が写真画像３０のコントラストを大きくする値に設定されると、コントラストの第２補正値を、背景領域４２のコントラストを大きくする値に設定する。また、制御部１は、コントラストの第１補正値が写真画像３０のコントラストを小さくする値に設定されると、コントラストの第２補正値を、背景領域４２のコントラストを小さくする値に設定する。例えば、制御部１は、コントラストの第２補正値を、コントラストの第１補正値と同じ値に設定する。より具体的には、制御部１は、コントラストの第１補正値が「＋２」に設定された場合には、コントラストの第２補正値を、コントラストの第１補正値と同じ値「＋２」に設定する。そして、制御部１は、設定されたコントラストの第２補正値「＋２」に基づいて、コントラストに関して背景領域４２を補正する。これにより、背景領域４２のコントラストが大きくなる。コントラストのほか、鮮やかさおよびシャープネスについても同様である。なお、背景領域４２のコントラストとは、写真画像３０の各画素の明るさの平均値と、背景領域４２の各画素の明るさの平均値との差を意味する。また、背景領域４２のシャープネスとは、写真画像３０と背景領域４２との境界部分におけるシャープネスを意味する。
【００６６】
図８ないし図１５に基づいて、図４に示した状態から、補正画面Ｄｄにおいて補正値設定部ｄｄに対する操作が行われた場合に、写真画像３０および背景領域４２がどのように補正されるかについて、具体的に説明する。
【００６７】
まず、図８および図９を参照し、明るさ設定部ｄｄ１に対する操作が行われた場合について、説明する。なお、図４、図８および図９等では、図示の制約上、写真画像３０の明るさを、写真画像３０に付された斜線模様の斜線の間隔により表現する。すなわち、写真画像３０に付された斜線模様の斜線の間隔が広いほど、写真画像３０の明るさが大きいことを意味する。同様に、背景領域４２の明るさを、背景領域４２に付された斜線模様の斜線の間隔により表現する。
【００６８】
図８は、補正画面Ｄｄにおいて、明るさ設定部ｄｄ１に対する操作により明るさの第１補正値が写真画像３０の明るさを大きくする値に設定された後、編集画面Ｄｃに戻った状態を示す。この場合、制御部１は、明るさの第２補正値を、背景領域４２の明るさを小さくする値に設定する。これにより、写真画像３０は、明るさ設定部ｄｄ１に対する操作が行われる前（図４参照）に比べて、明るさ設定部ｄｄ１に対する操作が行われた後（図８参照）の方が、明るさが大きくなる（換言すれば、明るくなる）ように表示される。これに対し、背景領域４２は、明るさ設定部ｄｄ１に対する操作が行われる前（図４参照）に比べて、明るさ設定部ｄｄ１に対する操作が行われた後（図８参照）の方が、明るさが小さくなる（換言すれば、暗くなる）ように表示される。
【００６９】
図９は、補正画面Ｄｄにおいて、明るさ設定部ｄｄ１に対する操作により明るさの第１補正値が写真画像３０の明るさを小さくする値に設定された後、編集画面Ｄｃに戻った状態を示す。この場合、制御部１は、明るさの第２補正値を、背景領域４２の明るさを大きくする値に設定する。これにより、写真画像３０は、明るさ設定部ｄｄ１に対する操作が行われる前（図４参照）に比べて、明るさ設定部ｄｄ１に対する操作が行われた後（図９参照）の方が、明るさが小さくなるように表示される。これに対し、背景領域４２は、明るさ設定部ｄｄ１に対する操作が行われる前（図４参照）に比べて、明るさ設定部ｄｄ１に対する操作が行われた後（図９参照）の方が、明るさが大きくなるように表示される。
【００７０】
続いて、図１０および図１１を参照し、コントラスト設定部ｄｄ２に対する操作が行われた場合について、説明する。なお、図４、図１０および図１１等では、図示の制約上、写真画像３０のコントラストを、写真画像３０の明るい部分（斜線の間隔が広い部分）に付された斜線模様の斜線の間隔と、写真画像３０の暗い部分（斜線の間隔が狭い部分）に付された斜線模様の斜線の間隔との、広狭の差により表現する。すなわち、写真画像３０の明るい部分（図４、図１０および図１１では、人物の周辺部分）に付された斜線模様の斜線の間隔と、写真画像３０の暗い部分（図４、図１０および図１１では、人物部分）に付された斜線模様の斜線の間隔との、広狭の差が大きいほど、写真画像３０のコントラストが大きいことを意味する。同様に、背景領域４２の明るさを、写真画像３０に付された斜線模様の斜線の間隔と、背景領域４２に付された斜線模様の斜線の間隔との、広狭の差により表現する。
【００７１】
図１０は、補正画面Ｄｄにおいて、コントラスト設定部ｄｄ２に対する操作によりコントラストの第１補正値が写真画像３０のコントラストを大きくする値に設定された後、編集画面Ｄｃに戻った状態を示す。この場合、制御部１は、コントラストの第２補正値を、背景領域４２のコントラストを大きくする値に設定する。これにより、写真画像３０は、コントラスト設定部ｄｄ２に対する操作が行われる前（図４参照）に比べて、コントラスト設定部ｄｄ２に対する操作が行われた後（図１０参照）の方が、コントラストが大きくなるように表示される。また、背景領域４２は、コントラスト設定部ｄｄ２に対する操作が行われる前（図４参照）に比べて、コントラスト設定部ｄｄ２に対する操作が行われた後（図１０参照）の方が、コントラストが大きくなるように表示される。
【００７２】
図１１は、補正画面Ｄｄにおいて、コントラスト設定部ｄｄ２に対する操作によりコントラストの第１補正値が写真画像３０のコントラストを小さくする値に設定された後、編集画面Ｄｃに戻った状態を示す。この場合、制御部１は、コントラストの第２補正値を、背景領域４２のコントラストを小さくする値に設定する。これにより、写真画像３０は、コントラスト設定部ｄｄ２に対する操作が行われる前（図４参照）に比べて、コントラスト設定部ｄｄ２に対する操作が行われた後（図１１参照）の方が、コントラストが小さくなるように表示される。また、背景領域４２は、コントラスト設定部ｄｄ２に対する操作が行われる前（図４参照）に比べて、コントラスト設定部ｄｄ２に対する操作が行われた後（図１１参照）の方が、コントラストが小さくなるように表示される。
【００７３】
続いて、図１２および図１３を参照し、鮮やかさ設定部ｄｄ３に対する操作が行われた場合について、説明する。なお、図４、図１２および図１３等では、図示の制約上、写真画像３０の鮮やかさを、写真画像３０に付された斜線模様の斜線の種類により表現する。すなわち、写真画像３０の鮮やかさを、大きい方から順に、太い実線、実線、破線で示す。同様に、背景領域４２の鮮やかさを、背景領域４２に付された斜線模様の斜線の種類により表現する。
【００７４】
図１２は、補正画面Ｄｄにおいて、鮮やかさ設定部ｄｄ３に対する操作により鮮やかさの第１補正値が写真画像３０の鮮やかさを大きくする値に設定された後、編集画面Ｄｃに戻った状態を示す。この場合、制御部１は、鮮やかさの第２補正値を、背景領域４２の鮮やかさを大きくする値に設定する。これにより、写真画像３０は、鮮やかさ設定部ｄｄ３に対する操作が行われる前（図４参照）に比べて、鮮やかさ設定部ｄｄ３に対する操作が行われた後（図１２参照）の方が、鮮やかさが大きくなるように表示される。また、背景領域４２は、鮮やかさ設定部ｄｄ３に対する操作が行われる前（図４参照）に比べて、鮮やかさ設定部ｄｄ３に対する操作が行われた後（図１２参照）の方が、鮮やかさが大きくなるように表示される。
【００７５】
図１３は、補正画面Ｄｄにおいて、鮮やかさ設定部ｄｄ３に対する操作により鮮やかさの第１補正値が写真画像３０の鮮やかさを小さくする値に設定された後、編集画面Ｄｃに戻った状態を示す。この場合、制御部１は、鮮やかさの第２補正値を、背景領域４２の鮮やかさを小さくする値に設定する。これにより、写真画像３０は、鮮やかさ設定部ｄｄ３に対する操作が行われる前（図４参照）に比べて、鮮やかさ設定部ｄｄ３に対する操作が行われた後（図１３参照）の方が、鮮やかさが小さくなるように表示される。また、背景領域４２は、鮮やかさ設定部ｄｄ３に対する操作が行われる前（図４参照）に比べて、鮮やかさ設定部ｄｄ３に対する操作が行われた後（図１３参照）の方が、鮮やかさが小さくなるように表示される。
【００７６】
続いて、図１４および図１５を参照し、シャープネス設定部ｄｄ４に対する操作が行われた場合について、説明する。なお、図４、図１４および図１５等では、図示の制約上、写真画像３０のシャープネスを、写真画像３０の輪郭線の種類により表現する。すなわち、写真画像３０のシャープネスを、大きい方から順に、太い実線、実線、破線で示す。同様に、背景領域４２のシャープネスを、背景領域４２と写真画像３０との境界線の種類により表現する。
【００７７】
図１４は、補正画面Ｄｄにおいて、シャープネス設定部ｄｄ４に対する操作によりシャープネスの第１補正値が写真画像３０のシャープネスを大きくする値に設定された後、編集画面Ｄｃに戻った状態を示す。この場合、制御部１は、シャープネスの第２補正値を、背景領域４２のシャープネスを大きくする値に設定する。これにより、写真画像３０は、シャープネス設定部ｄｄ４に対する操作が行われる前（図４参照）に比べて、シャープネス設定部ｄｄ４に対する操作が行われた後（図１４参照）の方が、シャープネスが大きくなるように表示される。また、背景領域４２は、シャープネス設定部ｄｄ４に対する操作が行われる前（図４参照）に比べて、シャープネス設定部ｄｄ４に対する操作が行われた後（図１４参照）の方が、シャープネスが大きくなるように表示される。
【００７８】
図１５は、補正画面Ｄｄにおいて、シャープネス設定部ｄｄ４に対する操作によりシャープネスの第１補正値が写真画像３０のシャープネスを小さくする値に設定された後、編集画面Ｄｃに戻った状態を示す。この場合、制御部１は、シャープネスの第２補正値を、背景領域４２のシャープネスを小さくする値に設定する。これにより、写真画像３０は、シャープネス設定部ｄｄ４に対する操作が行われる前（図４参照）に比べて、シャープネス設定部ｄｄ４に対する操作が行われた後（図１５参照）の方が、シャープネスが小さくなるように表示される。また、背景領域４２は、シャープネス設定部ｄｄ４に対する操作が行われる前（図１４参照）に比べて、シャープネス設定部ｄｄ４に対する操作が行われた後（図１５参照）の方が、シャープネスが小さくなるように表示される。
【００７９】
なお、４つの補正値設定部ｄｄのうち、２以上の設定部に対する操作が行われた場合には、それぞれの補正項目について、写真画像３０および背景領域４２に対する補正が行われる。例えば、明るさの第１補正値が写真画像３０の明るさを大きくする値に設定されると共に、コントラストの第１補正値が写真画像３０のコントラストを大きくする値に設定された場合を想定する。この場合、制御部１は、明るさの第２補正値を、背景領域４２の明るさを小さくする値に設定すると共に、コントラストの第２補正値を、背景領域４２のコントラストを大きくする値に設定する。これにより、写真画像３０は、明るさ設定部ｄｄ１およびコントラスト設定部ｄｄ２に対する操作が行われた後の方が、明るさが大きくなると共にコントラストが大きくなるように表示される。また、背景領域４２は、明るさ設定部ｄｄ１およびコントラスト設定部ｄｄ２に対する操作が行われた後の方が、明るさが小さくなると共にコントラストが大きくなるように表示される。
【００８０】
ここまでは、テンプレート画像４０に配置領域４１が１つだけ設けられている場合、すなわち、テンプレート画像４０に写真画像３０が１つだけ配置される場合について説明したが、次に、テンプレート画像４０に複数の配置領域４１が設けられている場合、すなわち、テンプレート画像４０に複数の写真画像３０が配置される場合について説明する。
【００８１】
この場合、補正画面Ｄｄでは、写真画像３０ごとに、補正モード選択部ｄ１、補正量設定部ｄ２および補正値設定部ｄｄに対する操作が行われ、第１補正値が写真画像３０ごとに設定される。このとき、制御部１は、第２補正値を、写真画像３０ごとに設定された複数の第１補正値に基づいて設定する。なお、以下では、第２補正処理において、第２補正値を、写真画像３０ごとに設定された複数の第１補正値に基づいて設定することを、「複数補正値処理」という。
【００８２】
図１６および図１７に基づいて、複数補正値処理の一例として、第２補正値を、背景領域４２の補正項目が、一の写真画像３０と他の写真画像３０とが並ぶ方向に段階的に変化するように設定することについて、説明する。
【００８３】
図１６は、編集画面Ｄｃにおいて、２つの配置領域４１が左右に並んで設けられたテンプレート画像４０に対し、２つの配置領域４１にそれぞれ写真画像３０が配置された状態を示す。図１７は、補正画面Ｄｄにおいて、以下のような設定がされた後、編集画面Ｄｃに戻った状態を示す。すなわち、図示左側の配置領域４１に配置された写真画像３０については、明るさの第１補正値が写真画像３０の明るさを大きくする値に設定され、図示右側の配置領域４１に配置された写真画像３０については、明るさの第１補正値が写真画像３０の明るさを小さくする値に設定されている。この場合、制御部１は、明るさの第２補正値を、図示左側の配置領域４１に配置された写真画像３０について設定された明るさの第１補正値と、図示右側の配置領域４１に配置された写真画像３０について設定された明るさの第１補正値と、に基づいて設定する。すなわち、制御部１は、明るさの第２補正値を、２つの写真画像３０が並ぶ方向すなわち左右方向において背景領域４２の明るさが変化するように、より具体的には図示左側から図示右側に向かって第２補正値が徐々に大きくなるように、設定する。
【００８４】
この場合、図示左側の配置領域４１に配置された写真画像３０は、明るさ設定部ｄｄ１に対する操作が行われる前（図１６参照）に比べて、明るさ設定部ｄｄ１に対する操作が行われた後（図１７参照）の方が、明るさが大きくなるように表示される。これに対し、図示右側の配置領域４１に配置された写真画像３０は、明るさ設定部ｄｄ１に対する操作が行われる前（図１６参照）に比べて、明るさ設定部ｄｄ１に対する操作が行われた後（図１７参照）の方が、明るさが小さくなるように表示される。また、背景領域４２は、明るさ設定部ｄｄ１に対する操作が行われた後（図１７参照）には、図示左側から図示右側に向かって徐々に明るさが大きくなるように、グラデーション表示される。なお、図１７では、図示の制約上、背景領域４２の明るさ（すなわち、斜線模様の斜線の間隔）を５段階に変化させているが、実際には、より細かく（例えば画素単位で）変化させることが好ましい。
【００８５】
以上のように、本実施形態のパソコンＰＣは、記憶部２と、制御部１とを備えている。記憶部２は、配置領域４１と背景領域４２とを含むテンプレート画像４０を記憶する。制御部１は、配置領域４１に写真画像３０を配置する。また、制御部１は、配置領域４１に配置される写真画像３０を補正する第１補正処理と、第１補正処理において用いられた第１補正値に基づいて第２補正値を設定し、背景領域４２を第２補正値に基づいて補正する第２補正処理とを実行する。
【００８６】
この構成によれば、第１補正値に基づいて写真画像３０が補正され、第１補正処理に基づいて設定された第２補正値に基づいて背景領域４２が補正される。したがって、写真画像３０に対して行う補正処理に応じた適切な補正処理をテンプレート画像４０に対して行うことができる。
【００８７】
第１補正値を設定するための操作、すなわち補正値設定部ｄｄに対する操作が行われた場合に、制御部１は、第１補正処理において、第１補正値に基づいて写真画像３０を補正する。また、制御部１は、第２補正処理において、設定された第１補正値に基づいて第２補正情報を設定し、設定された第２補正値に基づいて、背景領域４２を補正する。
【００８８】
この構成によれば、第１補正値を設定するための操作が行われた場合に、設定された第１補正値に基づいて、写真画像３０が補正され、設定された第１補正値に基づいて設定された第２補正値に基づいて、背景領域４２が補正される。したがって、第１補正値を設定するための操作が行われた場合に、設定された第１補正値に基づいて、写真画像３０と背景領域４２とを補正することができる。ゆえに、ユーザーが背景領域４２を補正するために補正値を設定するための操作を行う手間を軽減することができる。
【００８９】
また、本実施形態のパソコンＰＣでは、制御部１は、明るさの第１補正値が写真画像３０の明るさを大きくする値に設定されると、明るさの第２補正値を、背景領域４２の明るさを小さくする値に設定する。また、制御部１は、明るさの第１補正値が写真画像３０の明るさを小さくする値に設定されると、明るさの第２補正値を、背景領域４２の明るさを大きくする値に設定する。
【００９０】
この構成によれば、明るさの第１補正値が写真画像３０の明るさを大きくする値に設定されると、写真画像３０の明るさが大きくなるのに対し、背景領域４２の明るさは小さくなる。したがって、明るさの第１補正値を、写真画像３０の明るさを大きくする値に設定することで、背景領域４２の明るさが小さくなるように補正することができる。また、明るさの第１補正値が写真画像３０の明るさを小さくする値に設定されると、写真画像３０の明るさが小さくなるのに対し、背景領域４２の明るさは大きくなる。したがって、明るさの第１補正値を、写真画像３０の明るさを小さくする値に設定することで、背景領域４２の明るさが大きくなるように補正することができる。
【００９１】
また、本実施形態のパソコンＰＣでは、制御部１は、コントラストの第１補正値が写真画像３０のコントラストを大きくする値に設定されると、コントラストの第２補正値を、背景領域４２のコントラストを大きくする値に設定する。また、制御部１は、コントラストの第１補正値が写真画像３０のコントラストを小さくする値に設定されると、コントラストの第２補正値を、背景領域４２のコントラストを小さくする値に設定する。
【００９２】
この構成によれば、コントラストの第１補正値が写真画像３０のコントラストを大きくする値に設定されると、写真画像３０のコントラストが大きくなり、背景領域４２のコントラストも大きくなる。したがって、コントラストの第１補正値を、写真画像３０のコントラストを大きくする値に設定することで、背景領域４２のコントラストが大きくなるように補正することができる。また、コントラストの第１補正値が写真画像３０のコントラストを小さくする値に設定されると、写真画像３０のコントラストが小さくなり、背景領域４２のコントラストも小さくなる。したがって、コントラストの第１補正値を、写真画像３０のコントラストを小さくする値に設定することで、背景領域４２のコントラストが小さくなるように補正することができる。コントラストのほか、鮮やかさおよびシャープネスについても同様である。
【００９３】
また、本実施形態のパソコンＰＣでは、テンプレート画像４０に、複数の配置領域４１が設けられ、複数の配置領域４１にそれぞれ写真画像３０が配置され、第１補正値が写真画像３０ごとに設定される場合に、制御部１が、第２補正値を、複数補正値処理により、すなわち、写真画像３０ごとに設定された複数の第１補正値に基づいて、設定する。
【００９４】
この構成によれば、テンプレート画像４０に複数の写真画像３０が配置され、第１補正値が写真画像３０ごとに設定される場合に、第２補正値が、写真画像３０ごとに設定された複数の第１補正値に基づいて補正される。これにより、テンプレート画像４０に複数の写真画像３０が配置される場合にも、背景領域４２を適切に補正することができる。
【００９５】
また、本実施形態のパソコンＰＣでは、複数の写真画像３０のうちの一の写真画像３０について設定された第１補正値と、他の写真画像３０について設定された第１補正値とが異なる場合に、制御部１は、第２補正値を、背景領域４２の補正項目が、一の写真画像３０と他の写真画像３０とが並ぶ方向に段階的に変化するように設定する。
【００９６】
この構成によれば、背景領域４２の補正項目が、一の写真画像３０と他の写真画像３０とが並ぶ方向に段階的に変化するように、背景領域４２が補正される。これにより、補正項目に関して、背景領域４２がグラデーション表示される。
【００９７】
また、本実施形態のパソコンＰＣは、テンプレート画像４０と、配置領域４１に配置された写真画像３０とが含まれる合成画像５０を、印刷装置ＰＲに送信する。この構成によれば、写真画像３０だけでなく、背景領域４２が補正された合成画像５０を印刷することができる。
【００９８】
本発明は、本実施形態に限定されず、その趣旨を逸脱しない範囲で種々の構成を採用可能であることは言うまでもない。例えば、本実施形態は、上述したほか、以下のような形態に変更することができる。
【００９９】
制御部１は、上述したように、テンプレート画像４０に複数の写真画像３０が配置され、第１補正値が写真画像３０ごとに設定される場合に、第２補正処理において、第２補正値を、複数補正値処理により、すなわち、写真画像３０ごとに設定された複数の補正値に基づいて設定する。もっとも、複数補正値処理の具体的手法は、上記の構成、すなわち、第２補正値を、背景領域４２の補正項目が一の写真画像３０と他の写真画像３０とが並ぶ方向に段階的に変化するように設定する構成に限られるものではない。複数補正値処理の具体的手法としては、例えば、第２補正値を、写真画像３０ごとに設定された複数の第１補正値を所定の式に代入して得られた値に基づいて設定する構成でもよい。所定の式とは、例えば、複数の第１補正値の単純平均を算出する式でもよく、各第１補正値に対応する写真画像３０が配置された配置領域４１のサイズを重みとした加重平均を算出する式でもよい。この場合、背景領域４２の補正項目は、背景領域４２全体で均一に補正される。
【０１００】
さらに、制御部１は、テンプレート画像４０に複数の写真画像３０が配置され、第１補正値が写真画像３０ごとに設定される場合に、第２補正処理において、第２補正値を、複数補正値処理によらず、他の処理により設定してもよい。
【０１０１】
図１８および図１９に基づいて、複数補正値処理以外の処理の一例として、制御部１が、第２補正値を、最大サイズの配置領域４１に配置された写真画像３０について設定された第１補正値に基づいて設定することについて説明する。
【０１０２】
図１８は、編集画面Ｄｃにおいて、大小２つの配置領域４１が左右に並んで設けられたテンプレート画像４０に対し、２つの配置領域４１にそれぞれ写真画像３０が配置された状態を示す。図１９は、補正画面Ｄｄにおいて、以下のような設定がされた後、編集画面Ｄｃに戻った状態を示す。すなわち、補正画面Ｄｄにおいて、図示左側の大きな配置領域４１に配置された写真画像３０については、明るさの第１補正値が写真画像３０の明るさを大きくする値に設定され、図示右側の小さな配置領域４１に配置された写真画像３０については、明るさの第１補正値が写真画像３０の明るさを小さくする値に設定されている。この場合、上述したように、図示左側の配置領域４１に配置された写真画像３０は、明るさが大きくなるように表示され、図示右側の配置領域４１に配置された写真画像３０は、明るさが小さくなるように表示される。また、制御部１は、第２補正値を、最大サイズの配置領域４１、すなわち図示左側の配置領域４１に配置された写真画像３０について設定された明るさの第１補正値（ここでは、写真画像３０の明るさを大きくする値）に基づいて、設定する。これにより、背景領域４２は、明るさ設定部ｄｄ１に対する操作が行われる前（図１８参照）に比べて、明るさ設定部ｄｄ１に対する操作が行われた後（図１９参照）の方が、明るさが小さくなるように表示される。なお、制御部１は、第２補正値を、最大サイズではなく、例えば最小サイズの配置領域４１に配置された写真画像３０について設定された第１補正値に基づいて設定してもよい。
【０１０３】
また、制御部１は、写真画像３０にスタンプ画像６０が付加される場合に、第２補正処理において、設定された第２補正値に基づいて、背景領域４２と、スタンプ画像６０とを補正してもよい。
【０１０４】
図６および図２０に基づいて、写真画像３０にスタンプ画像６０が付加される場合に、スタンプ画像６０がどのように補正されるかについて説明する。
【０１０５】
図６は、補正画面Ｄｄにおいて、補正モード選択部ｄ１に対する操作により「人物」が選択された後、編集画面Ｄｃに戻った状態を示す。写真画像３０には、ハートマークのスタンプ画像６０が付加されている。なお、このとき、明るさ設定部ｄｄ１に対する操作は行われておらず、明るさの第１補正値は、基準値「０」のままである。図２０は、その後、再び補正画面Ｄｄが表示され、明るさ設定部ｄｄ１に対する操作により明るさの第１補正値が写真画像３０の明るさを大きくする値に設定された後、編集画面Ｄｃに戻った状態を示す。この場合、制御部１は、明るさの第２補正値を、背景領域４２およびスタンプ画像６０の明るさを小さくする値に設定する。これにより、上述したように、写真画像３０は、明るさ設定部ｄｄ１に対する操作が行われる前（図６参照）に比べて、明るさ設定部ｄｄ１に対する操作が行われた後（図２０参照）の方が、明るさが大きくなるように表示される。これに対し、背景領域４２およびスタンプ画像６０は、明るさが小さくなるように表示される。
【０１０６】
このように、写真画像３０の明るさについて第１補正値を設定するための操作が行われ場合に、設定された第１補正値に基づいて設定された第２補正値に基づいて、背景領域４２とスタンプ画像６０とが補正される。ゆえに、ユーザーがスタンプ画像６０の明るさについて補正値を設定するための操作を行う手間を軽減することができる。なお、制御部１は、スタンプ画像６０を、第１補正値に基づいて、写真画像３０と同様に補正してもよく、第１補正値および第２補正値のいずれとも異なる補正情報に基づいて、背景領域４２および写真画像３０のいずれとも異なる態様で補正してもよい。また、スタンプ画像６０は、本発明の「付加画像」の一例であるが、付加画像は、スタンプ画像６０のように、予め写真印刷アプリケーションに用意されたものに限定されず、例えば、キーボード４等から入力されたテキストに基づくテキスト画像でもよい。
【０１０７】
また、制御部１は、第２補正処理において、背景領域４２のうち、配置領域４１を囲む第１領域４２１（図２１参照）を補正し、第１領域４２１以外の第２領域４２２（図２１参照）を補正しない構成でもよい。
【０１０８】
図２１は、補正画面Ｄｄにおいて、明るさ設定部ｄｄ１に対する操作により明るさの第１補正値が写真画像３０の明るさを大きくする値に設定された後、編集画面Ｄｃに戻った状態を示す。この場合、上述したように、写真画像３０は、明るさが大きくなるように表示される。また、背景領域４２のうち、第１領域４２１については、明るさ設定部ｄｄ１に対する操作が行われる前（図４参照）に比べて、明るさ設定部ｄｄ１に対する操作が行われた後（図２１参照）の方が、明るさが小さくなるように表示される。これに対し、背景領域４２のうち、第２領域４２２については、明るさ設定部ｄｄ１に対する操作の前後で、明るさは変化しない。これにより、配置領域４１を囲む第１領域４２１以外の第２領域４２２を補正することなく、第１領域４２１を補正することができる。なお、制御部１は、これとは逆に、第２補正処理において、第２領域４２２を補正し、第１領域４２１を補正しない構成でもよい。
【０１０９】
また、制御部１は、第２補正処理において、明るさの第１補正値が写真画像３０の明るさを大きくする値に設定された場合には、背景領域４２の明るさが小さくなるように補正するが、これに限定されるものではなく、例えば、背景領域４２の明るさが大きくなるように補正してもよい。制御部１は、第２補正処理において、明るさの第１補正値が写真画像３０の明るさを小さくする値に設定された場合には、背景領域４２の明るさが大きくなるように補正するが、これに限定されるものではなく、例えば、背景領域４２の明るさが小さくなるように補正してもよい。
【０１１０】
制御部１は、第２補正処理において、コントラストの第１補正値が写真画像３０のコントラストを大きくする値に設定された場合には、背景領域４２のコントラストが大きくなるように補正するが、これに限定されるものではなく、例えば、背景領域４２のコントラストが小さくなるように補正してもよい。制御部１は、第２補正処理において、コントラストの第１補正値が写真画像３０のコントラストを小さくする値に設定された場合には、背景領域４２のコントラストが小さくなるように補正するが、これに限定されるものではなく、例えば、背景領域４２のコントラストが大きくなるように補正してもよい。コントラストのほか、鮮やかさおよびシャープネスについても同様である。
【０１１１】
写真画像３０は、本発明の「対象画像」の一例であるが、「対象画像」は、写真画像３０に限定されるものではなく、例えば、スキャナーにより読み取った画像でもよい。
【０１１２】
第１補正値は、本発明の「第１補正情報」の一例であるが、「第１補正情報」は、これに限定されるものではない。例えば、上記した、写真画像３０の補正項目について設定されたモード値、調整値或いは設定値を、「第１補正情報」としてもよい。また、写真画像３０を補正するか否かの情報を、「第１補正情報」としてもよい。同様に、第２補正値は、本発明の「第２補正情報」の一例であるが、これに限定されるものではない。
【０１１３】
パソコンＰＣは、本発明の「画像処理装置」の一例であるが、「画像処理装置」は、これに限定されるものではない。例えば、「画像処理装置」は、写真印刷アプリケーションがインストールされた、パソコン以外の汎用の情報処理装置（例えば、スマートフォン、タブレット端末）でもよい。また、「画像処理装置」は、画像処理専用の装置でもよい。さらに、「画像処理装置」は、印刷装置等と組み合わされた複合機として提供されてもよい。また、パソコンＰＣは、本発明の「コンピューター」の一例であるが、「コンピューター」は、これに限定されるものではなく、例えば、パソコン以外の汎用の情報処理装置でもよい。
【０１１４】
写真印刷アプリケーションは、本発明の「プログラム」の一例である。また、本発明の「プログラム」を、コンピューターで読取り可能な記録媒体（例えば、ＣＤ−ＲＯＭ、フラッシュメモリー）に格納して提供してもよい。
【符号の説明】
【０１１５】
３０…写真画像、４０…テンプレート画像、４１…配置領域、４２…背景領域、５０…合成画像、Ｄｃ…編集画面、ｃ１…背景ボタン、ｃ２…補正ボタン、ｃ３…印刷ボタン
【図１】
2019054476.tif 000003
【図２】
2019054476.tif 000004
【図３】
2019054476.tif 000005
【図４】
2019054476.tif 000006
【図５】
2019054476.tif 000007
【図６】
2019054476.tif 000008
【図７】
2019054476.tif 000009
【図８】
2019054476.tif 000010
【図９】
2019054476.tif 000011
【図１０】
2019054476.tif 000012
【図１１】
2019054476.tif 000013
【図１２】
2019054476.tif 000014
【図１３】
2019054476.tif 000015
【図１４】
2019054476.tif 000016
【図１５】
2019054476.tif 000017
【図１６】
2019054476.tif 000018
【図１７】
2019054476.tif 000019
【図１８】
2019054476.tif 000020
【図１９】
2019054476.tif 000021
【図２０】
2019054476.tif 000022
【図２１】
2019054476.tif 000023